(57)【特許請求の範囲】
【請求項１】
第１制御部と第２制御部を備え、前記第１制御部および前記第２制御部が各々の状態情報を相互に取得可能に構成された、商品データ処理装置であって、
前記第１制御部に通信可能に接続された第１出力部と、
前記第２制御部に通信可能に接続された第２出力部と、を有し、
前記第２制御部は、前記第１制御部に関する状態情報に異常を検出した場合、当該異常を示す識別情報を前記第２出力部に出力する処理を行うことを特徴とする
商品データ処理装置。
【請求項２】
異常に関する優先順位を規定した優先順位情報を記憶する優先順位記憶部を有することを特徴とする請求項１に記載の商品データ処理装置。
【請求項３】
前記第１制御部は、前記優先順位記憶部が記憶する優先順位の高い異常を、前記第１出力部及び前記第２出力部へ出力する処理をし、前記優先順位記憶部が記憶する優先順位の低い異常を、前記第１出力部に出力する処理をしないことを特徴とする請求項２に記載の商品データ処理装置。
【請求項４】
前記優先順位の高い異常はシステム障害に関する異常であり、前記優先順位の低い異常はメンテナンス警告であることを特徴とする請求項３に記載の商品データ処理装置。
【発明の詳細な説明】
【技術分野】
【０００１】
本発明は、商品データ処理装置に関する。
【背景技術】
【０００２】
印刷装置に障害が生じた際、その障害を確認することが困難な場合がある。具体的には、例えば、表示部、または、表示部を制御する表示制御部などに障害が発生した場合、ユーザはそれを知る術がない。
特許文献１には、障害の内容を画面に表示することが記載されている。
【先行技術文献】
【特許文献】
【０００３】
【特許文献１】特開２０１１−８０９号公報
【発明の概要】
【発明が解決しようとする課題】
【０００４】
しかしながら、特許文献１に記載の技術では、障害の内容を画面に表示することはできるが、表示部、または、表示部を制御する表示制御部などに障害が発生した場合、それを報知することができない。
また、障害の原因が特定できない場合、復旧に時間が掛かるという問題がある。
【０００５】
本発明は、上述した問題に鑑みてなされたものであって、装置に関する障害発生時、障害発生を確実に報知することができる商品データ処理装置を提供すること、装置に関する障害発生から短時間で復旧可能な商品データ処理装置を提供すること、などを目的とする。
【課題を解決するための手段】
【０００６】
このような目的を達成するために、本発明の商品データ処理装置は、以下の構成を少なくとも具備するものである。
第１制御部と第２制御部を有し、前記第１制御部および前記第２制御部の各々の状態情報を相互に取得可能に構成された、商品データ処理装置であって、
前記第１制御部に通信可能に接続された第１出力部と、
前記第２制御部に通信可能に接続された第２出力部と、を有し、
前記第２制御部は、前記第１制御部に関する状態情報に異常を検出した場合、当該異常を示す識別情報を第２出力部に出力する処理を行うことを特徴とする。
【発明の効果】
【０００７】
本発明によれば、装置に関する障害発生時、障害発生を確実に報知可能な商品データ処理装置を提供することができる。
【図面の簡単な説明】
【０００８】
【図１】本発明の実施形態に係る商品データ処理装置の一例を示す斜視図。
【図２】商品データ処理装置の機能ブロックの第１実施例を示す図。
【図３】商品データ処理装置の機能ブロックの第２実施例を示す図。
【図４】表示部付き計量装置を備えた商品データ処理装置の一例を示す斜視図。
【発明を実施するための形態】
【０００９】
本発明の実施形態に係る商品データ処理装置は、第１制御部と第２制御部を備える。第１制御部は、第１制御部および／または第２制御部に関する状態情報に異常を検出した場合、当該異常を示す情報を第１出力部に出力する処理を行う。また、第２制御部は、第１制御部および／または第２制御部に関する状態情報に異常を検出した場合、その異常を示す情報第２出力部に出力する処理を行う。
【００１０】
本発明の実施形態に係る商品データ処理装置を、図面を参照しながら説明する。本発明の実施形態は図示の内容を含むが、これのみに限定されるものではない。なお、以後の各図の説明で、既に説明した部位と共通する部分は同一符号を付して重複説明を一部省略する。
【００１１】
図１は、本発明の実施形態に係る商品データ処理装置１００の一例を示す斜視図である。尚、商品とは、例えば、商取引される物や、証紙、切手などであってもよいし、宅配サービスなどのサービスなどを含んでもよい。また、商品データ処理装置は、ＰＯＳレジスタ、包装装置、券売機（発券機）、情報機器などを含んでもよい。
【００１２】
本実施形態では、商品データ処理装置は、本体部１００ａに印字部２４としてのプリンタが設けられている。また、商品データ処理装置１００は、印字部２４（プリンタ）により印字されたラベルを、本体部１００ａの前面側に設けられた排紙口から排出するように構成されている。
【００１３】
また、商品データ処理装置１００の本体部１００ａには、第１出力部１２としての表示部１２Ａ、第２出力部２２としての表示部２２Ａが設けられている。本実施形態では、表示部１２Ａは、液晶モニタなどの表示部であり、表示部１２Ａの前面側に操作部としてのタッチパネルが設けられている。表示部２２Ａは、ドットキャラクタモジュールなどの表示部である。つまり、第２出力部は、第１出力部と異なる表示方式の表示部を有する。
尚、表示部１２Ａと表示部２２Ａは、この形態に限られるものではなく、任意の表示部であってもよい。
尚、本実施例では、第１出力部１２や第２出力部２２として表示部１２Ａや表示部２２Ａを設けたが、この形態に限られるものではない。第１出力部１２や第２出力部２２は、音出力を行う音出力部、複数のＬＥＤにより色表示する色表示部、外部のコンピュータに通信する通信部、などであってもよい。
【００１４】
また、商品データ処理装置の本体部１００ａには、電源スイッチ（不図示）やタッチパネル、操作ボタンなどの操作部が設けられている。
【００１５】
図２は商品データ処理装置１００の機能ブロックの第１実施例を示す図である。
商品データ処理装置は、第１処理部１１０と、第２処理部１２０と、などを有する。第１処理部１１０は、第１制御部１１（第１ＣＰＵ）、第１出力部１２、第１記憶部１３を有する。第２処理部１２０は、第２制御部２１（第２ＣＰＵ）、第２出力部２２、第２記憶部２３、プリンタなどの印字部２４を有する。また、商品データ処理装置１００は、電源スイッチ、操作ボタン等の操作部３０を有する。操作部３０は、第１制御部１１および第２制御部２１に電気的に接続されている。操作部３０は、所定の操作を受け付け、それを示す信号を第１制御部１１および第２制御部２１に出力する。尚、本実施形態では、第１処理部１１０と第２処理部１２０は１つの筐体に収容されている。
【００１６】
第１制御部１１および第２制御部２１は、各々の状態情報を相互に取得可能に通信路を介して通信可能に接続されている。つまり、第１制御部１１および第２制御部２１は、それぞれの状態に関して、相互に監視を行っている（相互監視）。
状態情報としては、システムアプリケーションの停止、印字制御部の停止、カッタの消耗、ヘッドの寿命、監視ドライバの停止など、商品データ処理装置の各構成要素の状態を示す情報を挙げることができる。
【００１７】
本実施形態では、第１制御部１１は、主に、商品データ処理装置のアプリケーションプログラムなどに関する制御を行う。アプリケーションプログラムは、商品データ処理装置の各種機能を実現するプログラムであり、詳細には、例えば、設定プログラム、ＧＵＩ（グラフィカルユーザインタフェース）用プログラム、料金計算プログラム、商品データに関する情報処理用プログラム、などである。
【００１８】
第２制御部２１は、主に、商品データ処理装置の印刷に関する制御を行う。
また、第２制御部２１は、第１制御部１１から印刷指示を受けた場合、印字部２４（プリンタ）によりラベル印刷処理を行う。
【００１９】
第１出力部１２は、第１制御部１１に通信可能に接続されている。第２出力部２２は、第２制御部２１に通信可能に接続されている。上述したように、表示部２２Ａなどの第２出力部２２は、表示部１２Ａなどの第１出力部１２と異なる表示方式の表示部を有する。
【００２０】
第１記憶部１３は、第１制御部１１により情報の書込みおよび読出し可能に構成されている。第２記憶部２３は、第２制御部により情報の書込みおよび読出し可能に構成されている。この第１記憶部１３および第２記憶部２３は、第１制御部１１および／または第２制御部２１の状態情報を記憶可能に構成されている。この第１記憶部１３および第２記憶部２３は、第１制御部１１や第２制御部２１の制御により、第１制御部１１および／または第２制御部２１に関する状態情報を記憶する。第１記憶部１３や第２記憶部２３などの記憶部は、揮発性記憶装置、不揮発性記憶装置、可搬式記憶装置、設置式記憶装置などであってもよい。
【００２１】
商品データ処理装置１００は、異常に関する優先順位を規定した優先順位情報を記憶する優先順位記憶部を有する。本実施形態では、優先順位記憶部は、第１記憶部１３および第２記憶部２３に設けられている。
異常に関する優先順位を規定した優先順位情報としては、システム障害に関する異常、メンテナンス警告に関する異常、などを挙げることができる。システム障害に関する異常について優先順位が高く、メンテナンス警告に関する異常について優先順位が低いように規定されている。
システム障害に関する異常としては、システムアプリケーションの停止、印字制御部の停止、監視ドライバの停止、さらには接続される周辺機器（計量装置やバーコードスキャナー、ＬＡＮケーブル等の各種デバイス）の接続有無を確認し接続されていないと判断された際の接続エラーなどを挙げることができる。
メンテナンス警告に関する異常としては、カッタの消耗、ヘッドの寿命などを挙げることができる。
これら各異常情報には複数のパラメーターが設定されており、順位の高い・低いを設定する「優先順位」はもちろんのこと、その異常が報知される条件を設定した「報知条件」、その異常情報に設定された数値や文字番号である「エラーコード」、出力先に応じた「出力形態」などがある。「出力形態」とは例えば、出力先が表示部であれば異常情報名やエラーコードを表示できるように設定され、音出力部やＬＥＤ表示部などそれぞれに応じた出力形態が設定されている。
上記優先順位を高いと設定している理由としては、例えば、その異常を放置すると、業務・運用を継続することが出来ないため、などを挙げることができる。
操作者による復旧が見込めない異常状態であり、メーカーやコールセンターへの問い合わせを必要とする。操作者がこの異常を確認した場合、先のメーカーやコールセンターへ連絡を行い異常の旨を連絡先に伝えなければならないが、装置に見識の無い操作者であっても第１出力部もしくは第２出力部またはその両方に異常内容がエラーコードや文言で表示されているため、的確に異常情報を連絡先に伝えることができる。また、当該装置がネットワークで接続されている場合、連絡先対応者はネットワーク経由で得られた状態や異常に関する情報と装置本体から出力されている異常情報との両方を勘案することが出来るため、より詳細に装置の状態を把握することが出来る。
上記優先順位を低いと設定している理由としては、その異常が業務・運用に支障を来たす類のものではなく、メンテナンスを促すことを主とした情報であるからである。例えば「カッタの消耗」の警告は、予め設定されたカッタの切断基準回数を超えると出力されるが、これが故障を意味しているのではなく、あくまでも交換時期が近づいていることを報知しているに過ぎない。
【００２２】
プリンタなどの印字部２４は、第２制御部２１の制御により、所定の印字処理を行う。
【００２３】
次に、第１制御部１１と第２制御部２１の動作の一例を説明する。
第１制御部１１は、第１制御部１１および／または第２制御部２１に関する状態情報に異常を検出した場合、その異常を示す情報を第１出力部１２に出力する処理を行う。
第２制御部２１は、第１制御部１１および／または第２制御部２１に関する状態情報に異常を検出した場合、当該異常を示す情報を第２出力部２２に出力する処理を行う。
【００２４】
また、第１制御部１１または第２制御部２１は、優先順位の高い異常を検出した場合に、第１出力部１２および／または第２出力部２２へ当該優先順位の高い異常を示す情報を出力する処理を行う。
また、第１制御部１１または第２制御部２１は、優先順位の低い異常を検出し、且つ操作部３０の操作を検出した場合に、第１出力部１２および／または第２出力部２２へ当該優先順位の低い異常を示す情報を出力する処理を行う。
【００２５】
以上、説明したように、本発明の実施形態に係る商品データ処理装置は、第１制御部１１（第１ＣＰＵ）と第２制御部２１（第２ＣＰＵ）を備え、第１制御部１１および第２制御部２１が各々の状態情報を相互に取得可能に構成されている。この商品データ処理装置は、第１制御部１１に通信可能に接続された第１出力部１２と、第２制御部２１に通信可能に接続された第２出力部２２とを有する。
第１制御部１１は、第１制御部１１および／または第２制御部２１に関する状態情報に異常を検出した場合、当該異常を示す情報を第１出力部１２に出力する処理を行う。
また、第２制御部２１は、第１制御部１１および／または第２制御部２１に関する状態情報に異常を検出した場合、当該異常を示す情報を第２出力部２２に出力する処理を行う。
このため、商品データ処理装置に関する障害発生時、第１出力部１２または第２出力部２２により障害発生を確実にユーザに報知可能な商品データ処理装置を提供することができる。また、この商品データ処理装置は、第１出力部１２または第２出力部２２により報知された異常を示す情報に基づいて、その障害発生から短時間で復旧処理を行うことができる。
【００２６】
また、本発明の実施形態に係る商品データ処理装置の第２出力部２２は、第１出力部１２と異なる表示方式の表示部を有する。第２出力部２２と第１出力部１２、異なる表示方式の表示部を有するので、第２出力部２２と第１出力部１２への同種の同時の故障に対する耐性を備える。つまり、第２出力部２２と第１出力部１２が同時に故障することが少ない。
詳細には、第１出力部１２としての液晶モニタに比べて、第２出力部２２としてのドットキャラクタモジュールは低い故障率であり、壊れずらい。このため、例えば、比較的高い故障率の液晶モニタなど第１出力部が故障した場合であっても、故障率の低いドットキャラクタモジュールなどの第２出力部２２で異常に関する情報を報知することができる。
【００２７】
また、検出した異常が複数あった場合であっても、その複数の異常に関する情報をまとめて出す、または、切り替えて出すことができるように、商品データ処理装置の第１出力部１２、第２出力部２２が構成されていてもよい。具体的には、検出した異常が複数あった場合、例えば、液晶モニタなどの第１出力部に複数の異常に関する情報を一覧表示してもよいし、第２出力部としてのドットキャラクタモジュール（比較的狭い表示範囲の表示装置）などに、複数の異常に関する情報を一行ずつ（又は複数行ずつ）、所定の時間間隔（１秒など）で順に出力してもよい。
【００２８】
また、本発明の実施形態に係る商品データ処理装置は、所定の操作を受け付ける操作部３０と、異常に関する優先順位を規定した優先順位情報を記憶する優先順位記憶部（第１記憶部１３、第２記憶部２３）と、を有する。この第１制御部１１または第２制御部２１は、優先順位の高い異常を検出した場合に、第１出力部１２および／または第２出力部２２へ当該優先順位の高い異常を示す情報を出力する処理を行う。第１制御部１１または第２制御部２１は、優先順位の低い異常を検出し、且つ、操作部３０の操作を検出した場合（操作部３０のボタン（スイッチ等）の長押しなどの予め規定された操作を検出した場合）に、第１出力部１２および／または第２出力部２２へ当該優先順位の低い異常を示す情報を出力する処理を行う。
すなわち、優先順位の高い異常を検出した場合、その優先順位の高い異常を示す情報をユーザに直ぐに報知することができる。
また、優先順位の低い異常を検出した場合には、さらに、操作部３０の操作を検出したことを条件として、優先順位の低い異常を示す情報をユーザに報知することで、ユーザは自身の所望の操作タイミングで、優先順位の低い異常を認識することができる。
また、優先順位の低い異常を表示する際の動作としては、両出力部が操作部３０の操作を検出したことを条件としてもよいし、第１出力部を液晶モニタとした場合、広い表示範囲のうち、隅や通常時には目立たない位置に、「優先順位の低い異常を示す情報」を常時表示してもよい。
また、第２出力部をドットキャラクタモジュールとした場合、狭い表示範囲に「優先順位の低い異常を示す情報」を常時表示させると、操作者に対して不安を与える可能性がある。このため、第２出力部をドットキャラクタモジュールとした場合、操作部３０の操作を検出したことを条件に、ドットキャラクタモジュールに「優先順位の低い異常を示す情報」を表示させるようにしてもよい。
【００２９】
また、本発明の実施形態に係る商品データ処理装置は、第１制御部１１により情報の書込みおよび読出し可能な第１記憶部１３と、第２制御部２１により情報の書込みおよび読出し可能な第２記憶部２３を備える。第１記憶部１３および第２記憶部２３は、第１制御部１１および／または第２制御部２１の状態情報を記憶する。詳細には、第１制御部１１や第２制御部２１に関する状態情報を、第１記憶部１３および第２記憶部２３に記憶することで、第１記憶部１３および第２記憶部２３の一方に障害が発生した場合であっても、他方に記憶されている状態情報によりその障害を把握することができる。また、その状態情報を第１出力部１２および／または第２出力部２２に出力してもよい。
また、第１制御部１１や第２制御部２１は、不具合の詳細を調査する際に、第１記憶部や第２記憶部のそれぞれにより記憶している情報を解析出来るだけで無く、両記憶部を比較しながら解析することができる。よって、一つの記憶部を解析する場合と比べて、２つの記憶部を解析する方が、不具合の発生した状況や原因を特定出来る可能性を高めることができる。
【００３０】
また、本発明の実施形態に係る商品データ処理装置において、第１制御部１１は、商品データ処理装置のアプリケーションプログラムに関する制御を行い、第２制御部２１は、商品データ処理装置の印刷に関する制御を行う。また、第２制御部２１は、第１制御部１１から印刷指示を受けた場合、プリンタによりラベル印刷処理を行う。
つまり、上記実施形態では、商品データ処理装置の各種処理について、第１制御部１１と第２制御部２１とで上記分散処理を行っている。この場合、第１制御部１１と第２制御部２１とで、相互に状態情報を共有することで、一方の制御系に障害が発生した場合であっても、他方の制御系でその障害を確実に報知することができる。
【００３１】
尚、商品データ処理装置は上記実施形態に限られるものではない。
図３は商品データ処理装置の機能ブロックの第２実施例を示す図である。
本実施例では、商品データ処理装置は、主制御基板３１０（メインボード）と、副制御基板３２０（プリンタボード）と、などを有する。主制御基板３１０側に第１処理部１１０が設けられており、副制御基板３２０側に第２処理部１２０が設けられている。本実施形態では、主制御基板３１０と副制御基板３２０が１つの筐体内に収容されている。
主制御基板３１０（メインボード）側には、第１記憶部１３、第１制御部１１により実行されるアプリケーションプログラム１１１やデバイスドライバ１１２、液晶モニタなどの第１出力部１２が設けられている。
副制御基板３２０側には、第２記憶部２３、印字制御部２４１などを有する第２制御部２１、サーマルヘッド等の印字部２４（プリンタ）などが設けられている。
つまり、上記各制御基板は別々の機能を有する。詳細には、本実施形態では、主制御基板３１０（メインボード）は、いわゆる汎用コンピュータの機能を実現する機能を有し、副制御基板３２０は、主に印刷処理に関する機能を有する。
これは製品寿命やノイズ耐性にも大きな効果がある。仮に上記各制御基板が同様のデバイスや同等の機能を目的とした部品で構成されていた場合、製品の寿命や影響を受けやすい環境や障害を起こし易いノイズも同等となる可能性が高くなる。つまり、同時に故障する可能性が高い。一方で当該装置では、それぞれ異なる機能を備えた基板であり、構成部品も異なるため、同時に故障するという可能性を下げることが出来る。
これにより、どちら一方が不具合を起こしたとしても、他方でその旨を報知することを可能とし迅速な復旧に貢献することが出来る。
【００３２】
アプリケーションプログラム１１１は、商品データ処理装置の各種機能を実現するプログラムである。また、アプリケーションプログラム１１１は、デバイスドライバ１１２に対して定期的に監視を行い、状態情報を取得し（ポーリング）、その情報をログとして第１記憶部１３に記憶する。また、アプリケーションプログラム１１１は、状態情報に異常を検出した場合、その旨を示す情報を液晶モニタなどの第１出力部１２に出力する処理を行う。
【００３３】
デバイスドライバ１１２は、商品データ処理装置の各構成要素（ハードウェア）を制御するプログラムである。また、デバイスドライバ１１２は、アプリケーションプログラム１１１や印字部２４（プリンタ）に対して定期的に監視を行い、状態情報を取得し（ポーリング）、その情報をログとして第１記憶部１３に記憶する。また、デバイスドライバ１１２は、状態情報に異常を検出した場合、その旨を示す情報を第１出力部１２に出力する処理を行う。
【００３４】
印字制御部２４１は、印字部２４の印刷に関する処理を行う。また、印字制御部２４１は、デバイスドライバ１１２に対して定期的に監視を行い、状態情報を取得し（ポーリング）、その情報をログとして第２記憶部２３に記憶する。
【００３５】
サーマルヘッド等の印字部２４（プリンタ）は、印字制御部２４１の制御により、ラベルなどの用紙に印刷を行う。
【００３６】
上述したように、本実施形態に係る商品データ処理装置では、アプリケーションプログラム１１１、デバイスドライバ１１２、印字制御部２４１の各構成要素が互いに連携して監視を行い（ライフチェック）、商品データ処理装置の各構成要素の動作停止を検知するように構成されている。
このため、各構成要素の動作停止を容易に報知可能な商品データ処理装置を提供することができる。
【００３７】
尚、商品データ処理装置は、上述した実施形態に限られるものではない。例えば、図１に上述した実施形態では、商品データ処理装置に第１出力部としての表示部、第２出力部としての表示部を設けたが、この形態に限られるものではない。
図４は表示部付き計量装置を備えた商品データ処理装置１００Ｂの一例を示す斜視図である。
本実施例では、プリンタ（印字部２４）付き商品データ処理装置１００Ｂは、本体部１００ａに第１出力部１２としての表示部１２Ａを備え、商品データ処理装置１００Ｂに有線式または無線式の通信路５５で通信可能に接続された計量部５１を備える計量装置などの外部装置１５０が、第２出力部２２としての表示部２２Ｂを有する。
つまり、第１出力部１２としての表示部１２Ａと、第２出力部２２としての表示部２２Ｂは、それぞれ別筐体に設けられていてもよい。この場合、外部装置１５０の異常を示す情報を第１出力部１２としての表示部１２Ａに出力することができる。また、商品データ処理装置１００Ｂの本体部１００ａ側の異常を示す情報を第２出力部２２としての表示部２２Ａに出力することができる。計量部５１の表示部２２Ｂは、通常時には計量値を表示し、異常を検知した場合にその旨を報知する。
【００３８】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００３９】
例えば、第１出力部、第２出力部で異常を表示させる表示形式は同じでもよいし、異なっていてもよい。
詳細には、「印字制御部の停止」の異常を表示する例として、第１出力部を液晶モニタとした場合、「印字制御部が停止しています」とポップアップで表示されることや「エラーコード：９９９９」などのコードで異常に関する情報を第１出力部（液晶モニタ）に表示してもよい。また、第１制御部は、第１出力部（液晶モニタ）に、装置全体を示す画像を画面表示し、不具合発生箇所を図示するようにしてもよく、さらにはアニメーションなどでもよい。
また、第２出力部をドットキャラクタモジュールとした場合、第２制御部は、第２出力部（ドットキャラクタモジュール）に「印字制御部が停止しています」と文言を表示してもよいし、単に「９９９９」などと表示してもよい。また、第２制御部は、「印字制御部が停止しています」、「９９９９」などの情報を交互に第２出力部（ドットキャラクタモジュール）に表示したり、アニメーションのように文字を流すように表示してもよい。
また、液晶モニタやドットキャラクタモジュールで表示される内容は、液晶モニタ・ドットキャラクタモジュールともに「印字制御部が停止しています」と同じ表示形式でもよい。また、液晶モニタではアニメーション形式、ドットキャラクタモジュールでは「９９９９」のように、異なる表示形式であってもよい。
【００４０】
また、上述した実施形態では、商品データ処理装置を例に説明したが、この形態に限られるものではない。例えば、本発明に係る商品データ処理装置を、ＰＯＳレジスタ、券売機（発券機）、単に事前印字されたラベルをカッタで切断し発行する発行装置、情報機器、包装装置、などに適用してもよい。
【符号の説明】
【００４１】
１１…第１制御部
１２…第１出力部
１２Ａ…表示部
１３、１３Ａ…第１記憶部
２１…第２制御部
２２…第２出力部
２２Ａ…表示部
２３、２３Ａ…第２記憶部
１００…商品データ処理装置（プリンタ付き販売データ処理装置）
【図１】
0006540236.tif 000002
【図２】
0006540236.tif 000003
【図３】
0006540236.tif 000004
【図４】
0006540236.tif 000005